(57)【特許請求の範囲】
【請求項１】
（ａ）画像形成装置と、中継装置と、通信端末装置とを有する画像形成システムであって、
（ｂ）前記画像形成装置が接続される第１ネットワークと、
（ｃ）前記通信端末装置が接続される第２ネットワークとを更に有し、
（ｄ）前記中継装置は、前記第１ネットワークと第２ネットワークとを中継し、
（ｅ）前記中継装置は、該中継装置の情報を第１Ｗｅｂページとして、前記第１のネットワークを介し、前記画像形成装置に送信する第１送信部を備え、
（ｆ）前記画像形成装置は、前記第１Ｗｅｂページの情報及び前記画像形成装置の情報を第２Ｗｅｂページとして、前記第１ネットワーク、中継装置及び第２ネットワークを介し、前記通信端末装置に送信する第２送信部を備えることを特徴とする画像形成システム。
【請求項２】
前記第１ネットワークはＩＥＥＥ８０２．３又はそのサブ規格に則った有線ネットワークであり、前記第２のネットワークはＩＥＥＥ８０２．１１又はそのサブ規格に則った無線ネットワークである請求項１に記載の画像形成システム。
【請求項３】
前記中継装置は、前記第２ネットワークの信号強度を検出する信号強度検出部を備え、該信号強度検出部が前記第２ネットワークの信号強度が所定の範囲を超えたことを検出したときに、前記第１Ｗｅｂページを送信する請求項１又は２に記載の画像形成システム。
【請求項４】
前記中継装置は、時間を計測する時間計測部を備え、該時間計測部が所定時間の経過を計測したときに、前記第１Ｗｅｂページを送信する請求項１〜３のいずれか１項に記載の画像形成システム。
【請求項５】
前記第１Ｗｅｂページは、前記中継装置の設定情報又は状態情報の少なくとも一つを含む請求項１〜４のいずれか１項に記載の画像形成システム。
【請求項６】
前記中継装置は、前記第１Ｗｅｂページの送信動作を行っている間、前記第１ネットワークと第２ネットワークとの中継動作を中断する請求項１〜５のいずれか１項に記載の画像形成システム。
【請求項７】
（ａ）画像形成装置と、中継装置と、通信端末装置とを有する画像形成システムであって、
（ｂ）前記画像形成装置が接続される第１ネットワークと、
（ｃ）前記通信端末装置が接続される第２ネットワークとを更に有し、
（ｄ）前記中継装置は、該中継装置の情報を第１Ｗｅｂページとして、前記第１ネットワークを介して前記画像形成装置に送信する第１送信部と、前記第１Ｗｅｂページに対する更新データを、前記第１ネットワークを介して前記画像形成装置に送信する第３送信部とを備え、
（ｅ）前記画像形成装置は、前記第１Ｗｅｂページの情報を前記更新データによって更新するＷｅｂページ更新部と、前記第１Ｗｅｂページの情報及び前記画像形成装置の情報を第２Ｗｅｂページとして、前記第１のネットワーク、コンバータ装置及び第２ネットワークを介し、前記通信端末装置に送信する第２送信部を備えることを特徴とする画像形成システム。
【請求項８】
前記第１ネットワークはＩＥＥＥ８０２．３又はそのサブ規格に則った有線ネットワークであり、前記第２ネットワークはＩＥＥＥ８０２．１１又はそのサブ規格に則った無線ネットワークである請求項７に記載の画像形成システム。
【請求項９】
前記中継装置は、初期化が終了したときに前記第１Ｗｅｂページを送信する請求項７又は８のいずれか１項に記載の画像形成システム。
【請求項１０】
前記中継装置は、前記第２ネットワークの信号強度を検出する信号強度検出部を備え、該信号強度検出部が前記第２ネットワークの信号強度が所定の範囲を超えたことを検出したときに、前記更新データを送信する請求項７〜９のいずれか１項に記載の画像形成システム。
【請求項１１】
前記中維装置は、時間を計測する時間計測部を備え、該時間計測部が所定時間の経過を計測したときに、前記更新データを送信する請求項７〜１０のいずれか１項に記載の画像形成システム。
【請求項１２】
前記第１Ｗｅｂページ及び前記更新データは、前記中継装置の設定情報又は状態情報の少なくとも一つを含む請求項７〜１１のいずれか１項に記載の画像形成システム。
【請求項１３】
前記中継装置は、前記第１Ｗｅｂページの送信動作を行っている間、及び、前記更新データの送信動作を行っている間、前記第１ネットワークと第２ネットワークとの中継動作を中断する請求項７〜１２のいずれか１項に記載の画像形成システム。
【発明の詳細な説明】
【技術分野】
【０００１】
本発明は、画像形成装置と、通信端末装置と、前記画像形成装置が接続されたネットワークと前記通信端末装置が接続されたネットワークとを中継する中継装置とによって構成される画像形成システムに関するものである。
【背景技術】
【０００２】
従来、画像形成装置のネットワーク機能を拡張する手段の一つとして、コンバータ装置を接続するシステムが知られている。
【０００３】
例えば、有線ＬＡＮ（Ｌｏｃａｌ  Ａｒｅａ  Ｎｅｔｗｏｒｋ）インターフェイスだけを有する画像形成装置を無線ＬＡＮネットワークに接続する揚合、有線ＬＡＮと無線ＬＡＮとを中継するコンバータ装置を装着することによって、有線ＬＡＮインターフェイスだけを有する画像形成装置に無線ＬＡＮ接続機能を付加することができる（例えば、特許文献１参照。）。
【０００４】
また、一般的なコンバータ装置は、受信したすべてのネットワークパケットを無条件に中継する。すなわち、有線ＬＡＮから受信したネットワークパケットは無線ＬＡＮへと中継され、逆に、無線ＬＡＮから受信したネットワークパケットは有線ＬＡＮへと無条件に中継される。
【特許文献１】特開２００３−３０９５７１号公報
【発明の開示】
【発明が解決しようとする課題】
【０００５】
しかしながら、前記従来のシステムにおいては、コンバータ装置が受信したすべてのネットワークパケットを無条件に中継するので、通信端末装置からも画像形成装置からもコンバータ装置を管理することができなかった。これは、該コンバータ装置が一方のネットワークから受信したすべてのネットワークパケットは、無条件に他方のネットワークへ中継されてしまうので、通信端末装置とコンバータ装置との間でも、また、画像形成装置とコンバータ装置との間でも、該コンバータ装置を管理するための通信を行うことができないからである。そのため、コンバータ装置を管理するためには、特別なモードで起動させる以外には効果的な手段はないので、コンバータ装置の管理には手間がかかってしまう。
【０００６】
本発明は、前記従来のシステムの問題点を解決して、中継装置がそれ自体の情報を第１Ｗｅｂ（ウェブ）ページとして画像形成装置に送信し、該画像形成装置が前記第１Ｗｅｂページとともに、それ自体の情報を第２Ｗｅｂページとして通信端末装置に送信するようにして、該通信端末装置が中継装置の情報をＷｅｂページとして取得することができ、中継装置を特別なモードにすることなく容易に管理することができる画像形成システムを提供することを目的とする。
【課題を解決するための手段】
【０００７】
そのために、本発明の画像形成システムにおいては、画像形成装置と、中継装置と、通信端末装置とを有する画像形成システムであって、前記画像形成装置が接続される第１ネットワークと、前記通信端末装置が接続される第２ネットワークとを更に有し、前記中継装置は、前記第１ネットワークと第２ネットワークとを中継し、前記中継装置は、該中継装置の情報を第１Ｗｅｂページとして、前記第１のネットワークを介し、前記画像形成装置に送信する第１送信部を備え、前記画像形成装置は、前記第１Ｗｅｂページの情報及び前記画像形成装置の情報を第２Ｗｅｂページとして、前記第１ネットワーク、中継装置及び第２ネットワークを介し、前記通信端末装置に送信する第２送信部を備える。
【発明の効果】
【０００８】
本発明によれば、画像形成システムは、中継装置がそれ自体の情報を第１Ｗｅｂページとして画像形成装置に送信し、該画像形成装置が前記第１Ｗｅｂページとともに、それ自体の情報を第２Ｗｅｂページとして通信端末装置に送信するようになっている。これにより、該通信端末装置が中継装置の情報をＷｅｂページとして取得することができ、中継装置を特別なモードにすることなく容易に管理することができる。
【発明を実施するための最良の形態】
【０００９】
以下、本発明の実施の形態について図面を参照しながら詳細に説明する。
【００１０】
図１は本発明の第１の実施の形態における画像形成システムの構成図である。
【００１１】
図において、１０は、ネットワークプリンタ等のようにネットワーク接続機能を有する画像形成装置であり、第１ネットワークとしての有線ＬＡＮ４０を介して、中継装置としてのコンバータ装置２０と通信可能に接続されている。また、３０は、画像形成装置１０の上位装置として機能し、印刷ジョブを前記画像形成装置１０に送信することができるパーソナルコンピュータ等のネットワーク接続機能を有する通信端末装置であり、第２ネットワークとしての無線ＬＡＮ５０を介して、コンバータ装置２０と通信可能に接続されている。そして、該コンバータ装置２０は、有線ＬＡＮ４０及び無線ＬＡＮ５０に接続され、有線ＬＡＮ４０から受信したネットワークパケットを無条件に無線ＬＡＮ５０に中継し、逆に、無線ＬＡＮ５０から受信したネットワークパケットを有線ＬＡＮ４０に無条件に中継する。なお、５１は、無線ＬＡＮ５０におけるアクセスポイントであり、通信端末装置３０を無線ＬＡＮ５０に接続させるポイントである。
【００１２】
ここで、画像形成装置１０は、例えば、プリンタ、ファクシミリ機、複写機、又は、プリンタ、ファクシミリ機及び複写機の機能を併せ持つ複合型プリンタ（ＭＦＰ：Ｍｕｌｔｉ  Ｆｕｎｃｔｉｏｎ  Ｐｒｉｎｔｅｒ）であるが、ネットワーク接続機能とともに画像形成機能を備える装置であれば、いかなる種類のものであってもよい。
【００１３】
また、通信端末装置３０は、例えば、ＣＰＵ、ＭＰＵ等の演算手段、磁気ディスク、半導体メモリ等の記憶手段、通信インターフェイス等を備える一般的なパーソナルコンピュータであるが、無線ＬＡＮ５０に接続してネットワーク通信を行う機能、Ｗｅｂブラウザを実行する機能、及び、ユーザの操作に従って、指定されたネットワーク上のアドレスに対して、ＨＴＴＰ（Ｈｙｐｅｒ  Ｔｅｘｔ  Ｔｒａｎｓｆｅｒ  Ｐｒｏｔｏｃｏｌ）によるＷｅｂページ取得動作を実行する機能を有する装置であれば、いかなる種類のものであってもよい。
【００１４】
さらに、アクセスポイント５１は、無線ＬＡＮ５０を管理し、コンバータ装置２０と通信端末装置３０との無線通信を仲介する装置である。
【００１５】
なお、本実施の形態においては、有線ＬＡＮ４０がＩＥＥＥ８０２．３又はそのサブ規格に則った有線ネットワークであり、無線ＬＡＮ５０がＩＥＥＥ８０２．１１又はそのサブ規格に則った無線ネットワークである場合について説明する。
【００１６】
次に、前記画像形成装置１０の機能構成について詳細に説明する。
【００１７】
図２は本発明の第１の実施の形態における画像形成装置のブロック図である。
【００１８】
図に示されるように、画像形成装置１０は、ネットワークインターフェイス部１１、第２送信部としてのＷｅｂサーバ部１２、Ｗｅｂページ記憶部１３、制御部１４、プリンタ部１５、スキャナ部１６、操作部１７及び設定情報記憶部１８を有する。
【００１９】
ネットワークインターフェイス部１１は、有線ＬＡＮ４０に接続され、ＨＴＴＰを始めとする種々のネットワークプロトコルを制御する機能、及び、各プロトコルに応じて画像データや印刷データ、Ｗｅｂページデータ等を入出力する機能を有する。
【００２０】
そして、Ｗｅｂサーバ部１２は、設定情報記憶部１８内の各種情報に基づいてＷｅｂページデータとしての第２Ｗｅｂページデータを生成する機能と、Ｗｅｂページ記憶部１３内に格納されているＷｅｂページデータとしての第１Ｗｅｂページデータを前記第２Ｗｅｂページデータに結合する機能と、該第２Ｗｅｂページデータ及び前記第１Ｗｅｂページデータをネットワークインターフェイス部１１を介して有線ＬＡＮ４０に送信する機能とを有する。
【００２１】
また、Ｗｅｂページ記憶部１３は、ネットワークインターフェイス部１１を介して有線ＬＡＮ４０から受信した前記第１Ｗｅｂページデータを格納する機能と、Ｗｅｂサーバ部１２の要求に応じ、格納されている第１Ｗｅｂページデータを取り出す機能とを有する。
【００２２】
そして、制御部１４は、画像形成装置１０の全体を制御する機能を有し、ネットワークインターフェイス部１１、Ｗｅｂサーバ部１２、Ｗｅｂページ記憶部１３、プリンタ部１５、スキャナ部１６、操作部１７及び設定情報記憶部１８を制御して各種の動作を実行する。
【００２３】
また、プリンタ部１５は、前記制御部１４の指示に従い、ネットワークインターフェイス部１１を介して有線ＬＡＮ４０から受信した印刷データの印刷を実行する機能を有する。
【００２４】
さらに、スキャナ部１６は、前記制御部１４の指示に従い、操作部１７から入力された指示に従って読み取った画像データを、ネットワークインターフェイス部１１を介して有線ＬＡＮ４０に送信する機能を有する。
【００２５】
そして、操作部１７は、キーボード、タッチパネル、液晶パネル等の入出力手段を備え、ユーザに対して画像形成装置１０の設定変更や画像読取操作のためのインターフェイスを提供する機能を有する。
【００２６】
次に、前記コンバータ装置２０の機能構成について詳細に説明する。
【００２７】
図３は本発明の第１の実施の形態におけるコンバータ装置のブロック図である。
【００２８】
図に示されるように、コンバータ装置２０は、有線ＬＡＮインターフェイス部２１、無線ＬＡＮインターフェイス部２２、第１送信部としてのＷｅｂページ送信部２３、制御部２４、時間計測部２５、設定情報記憶部２６、信号強度検出部としての無線信号検出部２７、テストボタン検出部２８及びテストボタン２９を有する。
【００２９】
有線ＬＡＮインターフェイス部２１は、有線ＬＡＮ４０に接続され、無線ＬＡＮインターフェイス部２２から中継されたネットワークパケットを有線ＬＡＮ４０に送信し、逆に、有線ＬＡＮ４０から受信したネットワークパケットを無線ＬＡＮインターフェイス部２２に中継する。また、有線ＬＡＮインターフェイス部２１は、Ｗｅｂページ送信部２３によって生成されたＷｅｂページデータとしての後述されるコンバータＷｅｂページ９０を、ＴＦＴＰ（Ｔｒｉｖｉａｌ  Ｆｉｌｅ  Ｔｒａｎｓｆｅｒ  Ｐｒｏｔｏｃｏｌ）をプロトコルとして用い、有線ＬＡＮ４０に送信する機能を有する。
【００３０】
さらに、無線ＬＡＮインターフェイス部２２は、無線ＬＡＮ５０に接続され、有線ＬＡＮインターフェイス部２１から中継されたネットワークパケットを無線ＬＡＮ５０に送信し、逆に、無線ＬＡＮ５０から受信したネットワークパケットを有線ＬＡＮインターフェイス部２１に中継する。
【００３１】
そして、Ｗｅｂページ送信部２３は、コンバータ装置２０内の各種情報に基づいてＷｅｂページデータを生成する機能、及び、生成されたＷｅｂページデータをコンバータＷｅｂページ９０として、有線ＬＡＮインターフェイス部２１を介して有線ＬＡＮ４０に送信する機能を有する。
【００３２】
また、制御部２４は、コンバータ装置２０の全体を制御し、有線ＬＡＮインターフェイス部２１、無線ＬＡＮインターフェイス部２２及びＷｅｂページ送信部２３に前記各動作を実行させる。
【００３３】
さらに、無線信号検出部２７は、無線ＬＡＮインターフェイス２２を介して無線ＬＡＮ５０の信号強度としての電波強度を検出し、検出された電波強度が所定の範囲を超えたときに制御部２４に通知する。
【００３４】
そして、テストボタン２９は、コンバータ装置２０を設定モードで起動するためのインターフェイスをユーザに提供する。
【００３５】
また、テストボタン検出部２８は、テストボタン２９の状態を検出し、該テストボタン２９が押されていることを検出すると、制御部２４に通知する。
【００３６】
次に、前記通信端末装置３０の機能構成について詳細に説明する。
【００３７】
図４は本発明の第１の実施の形態における通信端末装置のブロック図である。
【００３８】
図に示されるように、通信端末装置３０は、無線ＬＡＮインターフェイス部３１、制御部３２、印刷アプリケーション３３、スキャナアプリケーション３４、Ｗｅｂブラウザ３５、表示部３６、操作部３７及びコンバータ設定ユーティリティ３８を有する。
【００３９】
無線ＬＡＮインターフェイス部３１は、無線ＬＡＮ５０に接続され、ＨＴＴＰを始めとする各種ネットワークプロトコルを用いてネットワーク通信を行う機能を有し、印刷アプリケーション３３、スキャナアプリケーション３４及びＷｅｂブラウザ３５の指示に応じて各種プロトコルによる通信を行う。
【００４０】
そして、制御部３２は通信端末装置３０の全体を制御する。
【００４１】
また、印刷アプリケーション３３は、前記制御部３２によって制御され、ユーザにより操作部３７を介して入力された指示に従って、印刷データを無線ＬＡＮインターフェイス部３１を介して無線ＬＡＮ５０に送受信し、ユーザの操作結果を表示部３６に表示する。
【００４２】
さらに、スキャナアプリケーション３４は、前記制御部３２によって制御され、ユーザにより操作部３７を介して入力された指示に従って、画像データを無線ＬＡＮインターフェイス部３１を介して無線ＬＡＮ５０に送受信し、ユーザの操作結果や無線ＬＡＮ５０から受信した画像データを表示部３６に表示する。
【００４３】
そして、Ｗｅｂブラウザ３５は、前記制御部３２によって制御され、ユーザにより操作部３７を介して入力された指示に従って、ＨＴＴＰコマンド、ＨＴＴＰレスポンス及びＷｅｂページデータを無線ＬＡＮインターフェイス部３１を介して無線ＬＡＮ５０に送受信し、受信したＨＴＴＰレスポンス及びＷｅｂページデータを整形し、表示部３６に表示する。
【００４４】
また、表示部３６は、ＣＲＴ（Ｃａｔｈｏｄｅ  Ｒａｙ  Ｔｕｂｅ）、液晶ディスプレイ等の表示手段を備え、印刷アプリケーション３３、スキャナアプリケーション３４及びＷｅｂブラウザ３５の指示に基づいた画面表示を行う。
【００４５】
さらに、操作部３７は、キーボード、マウス等の入力手段を備え、ユーザの入力した指示を印刷アプリケーション３３、スキャナアプリケーション３４及びＷｅｂブラウザ３５に通知する。
【００４６】
そして、コンバータ設定ユーティリティ３８は、前記制御部３２によって制御され、ユーザにより操作部３７を介して入力された指示に従って、コンバータ装置２０の設定情報を変更するための設定変更コマンドを無線ＬＡＮインターフェイス部３１を介して無線ＬＡＮ５０に送信し、また、設定情報変更のためのユーザインターフェイスを表示部３６に表示する。
【００４７】
次に、前記構成の画像形成システムの動作について説明する。
【００４８】
本実施の形態における動作を説明する前に、画像形成システムにおける通常の各機能部間の関連について説明する。なお、本実施の形態における各動作は、画像形成装置１０にコンバータ装置２０を装着した場合の一般的な動作と同様であるので、基本動作だけについて説明する。
【００４９】
まず、画像形成システムにおける印刷動作について説明する。
【００５０】
図５は本発明の第１の実施の形態における画像形成システムの印刷動作の基本シーケンスを示す図である。
【００５１】
画像形成システムにおける印刷動作は、ユーザが通信端末装置３０の操作部３７を操作することによって開始される。
【００５２】
まず、ユーザが操作部３７に印刷操作を入力すると、操作部３７はユーザから入力された印刷操作を印刷アプリケーション３３に通知する。そして、該印刷アプリケーション３３は、前記印刷操作に従って印刷データを生成し、該印刷データを印刷データ送信指示とともに無線ＬＡＮインターフェイス部３１に送信する。
【００５３】
続いて、無線ＬＡＮインターフェイス部３１は、画像形成装置１０に対する接続要求を無線ＬＡＮ５０に対して送信する。すると、前記接続要求は、アクセスポイント５１を介して、コンバータ装置２０の無線ＬＡＮインターフェイス部２２に送信される。そして、前記接続要求を受信した無線ＬＡＮインターフェイス部２２は、接続要求を有線ＬＡＮインターフェイス部２１に転送する。すると、該有線ＬＡＮインターフェイス部２１は、転送された接続要求を有線ＬＡＮ４０に送信する。
【００５４】
次に、該有線ＬＡＮ４０を介して前記接続要求を受信した画像形成装置１０のネットワークインターフェイス部１１は、接続応答を有線ＬＡＮ４０に返信する。すると、前記接続応答を受信した有線ＬＡＮインターフェイス部２１は、接続応答を無線ＬＡＮインターフェイス部２２に転送する。さらに、該無線ＬＡＮインターフェイス部２２は、転送された接続応答を無線ＬＡＮ５０に送信する。そして、前記接続応答は、アクセスポイント５１を介して無線ＬＡＮインターフェイス部３１に送信される。前記接続応答を受信した無線ＬＡＮインターフェイス部３１は、前記印刷データを無線ＬＡＮ５０に送信する。
【００５５】
続いて、前記印刷データは、アクセスポイント５１を介してコンバータ装置２０の無線ＬＡＮインターフェイス部２２に送信される。すると、前記印刷データを受信した無線ＬＡＮインターフェイス部２２は、印刷データを有線ＬＡＮインターフェイス部２１に転送する。さらに、前記印刷データを受信したネットワークインターフェイス部１１は、印刷データをプリンタ部１５に転送する。そして、該プリンタ部１５は、前記印刷データを印刷し、印刷が終了すると、印刷応答をネットワークインターフェイス部１１に送信する。
【００５６】
次に、該ネットワークインターフェイス部１１は、前記印刷応答を有線ＬＡＮ４０に返信する。すると、該有線ＬＡＮ４０を介して前記印刷応答を受信した有線ＬＡＮインターフェイス部２１は、印刷応答を無線ＬＡＮインターフェイス部２２に転送する。さらに、該無線ＬＡＮインターフェイス部２２は、転送された印刷応答を無線ＬＡＮ５０に送信する。そして、前記印刷応答は、アクセスポイント５１を介して無線ＬＡＮインターフェイス部３１に送信される。該無線ＬＡＮインターフェイス部３１は、前記印刷応答を印刷アプリケーション３３に送信する。
【００５７】
続いて、前記印刷応答を受信した印刷アプリケーション３３は、終了指示を無線ＬＡＮインターフェイス部３１に通知する。すると、該無線ＬＡＮインターフェイス部３１は切断要求を無線ＬＡＮ５０に対して送信する。そして、前記切断要求は、アクセスポイント５１を介してコンバータ装置２０の無線ＬＡＮインターフェイス部２２に送信される。前記切断要求を受信した無線ＬＡＮインターフェイス部２２は、切断要求を有線ＬＡＮインターフェイス部２１に転送する。
【００５８】
次に、該有線ＬＡＮインターフェイス部２１は、転送された切断要求を有線ＬＡＮ４０に送信する。該有線ＬＡＮ４０を介して前記切断要求を受信した画像形成装置１０のネットワークインターフェイス部１１は、切断応答を有線ＬＡＮ４０に返信する。そして、該有線ＬＡＮ４０を介して前記切断応答を受信した有線ＬＡＮインターフェイス部２１は、切断応答を無線ＬＡＮインターフェイス部２２に転送する。該無線ＬＡＮインターフェイス部２２は転送された切断応答を無線ＬＡＮ５０に送信する。
【００５９】
続いて、前記切断応答は、アクセスポイント５１を介して無線ＬＡＮインターフェイス部３１に送信される。すると、前記切断応答を受信した無線ＬＡＮインターフェイス部３１は、印刷アプリケーション３３に終了を通知する。そして、印刷アプリケーション３３は表示部３６に結果表示を指示し、表示部３６はユーザに対して結果を表示する。
【００６０】
次に、シーケンスについて説明する。
シーケンスＳＥ１  ユーザが操作部３７に印刷操作を入力する。
シーケンスＳＥ２  操作部３７はユーザから入力された印刷操作を印刷アプリケーション３３に通知する。
シーケンスＳＥ３  印刷アプリケーション３３は前記印刷操作に従って印刷データを生成する。
シーケンスＳＥ４  印刷アプリケーション３３は印刷データを無線ＬＡＮインターフェイス部３１に印刷データ送信指示とともに送信する。
シーケンスＳＥ５  無線ＬＡＮインターフェイス部３１は画像形成装置１０に対する接続要求を無線ＬＡＮ５０を介してアクセスポイント５１に送信する。
シーケンスＳＥ６  アクセスポイント５１は接続要求をコンバータ装置２０の無線ＬＡＮインターフェイス部２２に送信する。
シーケンスＳＥ７  接続要求を受信した無線ＬＡＮインターフェイス部２２は接続要求を有線ＬＡＮインターフェイス部２１に転送する。
シーケンスＳＥ８  有線ＬＡＮインターフェイス部２１は転送された接続要求を有線ＬＡＮ４０を介して画像形成装置１０のネットワークインターフェイス部１１に送信する。
シーケンスＳＥ９  接続要求を受信した画像形成装置１０のネットワークインターフェイス部１１は接続応答を有線ＬＡＮ４０を介して有線ＬＡＮインターフェイス部２１に送信する。
シーケンスＳＥ１０  有線ＬＡＮインターフェイス部２１は接続応答を無線ＬＡＮインターフェイス部２２に転送する。
シーケンスＳＥ１１  無線ＬＡＮインターフェイス部２２は転送された接続応答を無線ＬＡＮ５０を介してアクセスポイント５１に送信する。
シーケンスＳＥ１２  アクセスポイント５１は接続応答を無線ＬＡＮインターフェイス部３１に送信する。
シーケンスＳＥ１３  接続応答を受信した無線ＬＡＮインターフェイス部３１は印刷データを無線ＬＡＮ５０介してアクセスポイント５１に送信する。
シーケンスＳＥ１４  アクセスポイント５１は印刷データをコンバータ装置２０の無線ＬＡＮインターフェイス部２２に送信する。
シーケンスＳＥ１５  印刷データを受信した無線ＬＡＮインターフェイス部２２は印刷データを有線ＬＡＮインターフェイス部２１に転送する。
シーケンスＳＥ１６  有線ＬＡＮインターフェイス部２１は印刷データをネットワークインターフェイス部１１に送信する。
シーケンスＳＥ１７  印刷データを受信したネットワークインターフェイス部１１は印刷データをプリンタ部１５に転送する。
シーケンスＳＥ１８  プリンタ部１５は印刷データを印刷する。
シーケンスＳＥ１９  プリンタ部１５は印刷が終了すると印刷応答をネットワークインターフェイス部１１に送信する。
シーケンスＳＥ２０  ネットワークインターフェイス部１１は印刷応答を有線ＬＡＮ４０を介して有線ＬＡＮインターフェイス部２１に送信する。
シーケンスＳＥ２１  印刷応答を受信した有線ＬＡＮインターフェイス部２１は印刷応答を無線ＬＡＮインターフェイス部２２に転送する。
シーケンスＳＥ２２  無線ＬＡＮインターフェイス部２２は転送された印刷応答を無線ＬＡＮ５０を介してアクセスポイント５１に送信する。
シーケンスＳＥ２３  アクセスポイント５１は印刷応答を無線ＬＡＮインターフェイス部３１に送信する。
シーケンスＳＥ２４  無線ＬＡＮインターフェイス部３１は印刷応答を印刷アプリケーション３３に送信する。
シーケンスＳＥ２５  印刷応答を受信した印刷アプリケーション３３は終了指示を無線ＬＡＮインターフェイス部３１に通知する。
シーケンスＳＥ２６  無線ＬＡＮインターフェイス部３１は切断要求を無線ＬＡＮ５０を介してアクセスポイント５１に送信する。
シーケンスＳＥ２７  アクセスポイント５１は切断要求をコンバータ装置２０の無線ＬＡＮインターフェイス部２２に送信する。
シーケンスＳＥ２８  切断要求を受信した無線ＬＡＮインターフェイス部２２は切断要求を有線ＬＡＮインターフェイス部２１に転送する。
シーケンスＳＥ２９  有線ＬＡＮインターフェイス部２１は転送された切断要求を有線ＬＡＮ４０を介して画像形成装置１０のネットワークインターフェイス部１１に送信する。
シーケンスＳＥ３０  切断要求を受信した画像形成装置１０のネットワークインターフェイス部１１は切断応答を有線ＬＡＮ４０を介して有線ＬＡＮインターフェイス部２１に返信する。
シーケンスＳＥ３１  切断応答を受信した有線ＬＡＮインターフェイス部２１は切断応答を無線ＬＡＮインターフェイス部２２に転送する。
シーケンスＳＥ３２  無線ＬＡＮインターフェイス部２２は転送された切断応答を無線ＬＡＮ５０を介してアクセスポイント５１に送信する。
シーケンスＳＥ３３  アクセスポイント５１は切断応答を無線ＬＡＮインターフェイス部３１に送信する。
シーケンスＳＥ３４  切断応答を受信した無線ＬＡＮインターフェイス部３１は印刷アプリケーション３３に終了を通知する。
シーケンスＳＥ３５  印刷アプリケーション３３は表示部３６に結果表示を指示する。
シーケンスＳＥ３６  表示部３６はユーザに対して結果を表示する。
【００６１】
次に、画像形成システムにおけるスキャナ動作の基本シーケンスについて説明する。
【００６２】
図６は本発明の第１の実施の形態における画像形成システムのスキャナ動作の基本シーケンスを示す図である。
【００６３】
画像形成システムにおけるスキャナ動作は、ユーザが画像形成装置１０の操作部１７を操作することによって開始される。
【００６４】
まず、ユーザが操作部１７にスキャナ操作を入力すると、操作部１７はスキャナ操作をスキャナ部１６に送信する。すると、該スキャナ部１６は、スキャナ操作に従って、スキャナ動作を行い画像データを生成する。そして、スキャナ部１６は、ネットワークインターフェイス部１１に対して、画像データ送信指示を前記画像データとともに送信する。ネットワークインターフェイス部１１は、通信端末装置３０に対する接続要求を有線ＬＡＮ４０に送信する。
【００６５】
続いて、前記接続要求を受信した有線ＬＡＮインターフェイス部２１は、接続要求を無線ＬＡＮインターフェイス部２２に転送する。すると、前記接続要求を受信した無線ＬＡＮインターフェイス部２２は、接続要求を無線ＬＡＮ５０に送信する。そして、前記接続要求は、アクセスポイント５１を介して無線ＬＡＮインターフェイス部３１に送信される。さらに、前記接続要求を受信した無線ＬＡＮインターフェイス部３１は、接続応答を無線ＬＡＮ５０に返信する。
【００６６】
次に、前記接続応答は、アクセスポイント５１を介して無線ＬＡＮインターフェイス部２２に送信される。すると、前記接続応答を受信した無線ＬＡＮインターフェイス部２２は、接続応答を有線ＬＡＮインターフェイス部２１に転送する。該有線ＬＡＮインターフェイス部２１は前記接続応答を有線ＬＡＮ４０に送信する。そして、前記接続応答を受信したネットワークインターフェイス部１１は、前記画像データを有線ＬＡＮ４０に送信する。さらに、画像データを受信した有線ＬＡＮインターフェイス部２１は、画像データを無線ＬＡＮインターフェイス部２２に転送する。
【００６７】
続いて、前記画像データを受信した無線ＬＡＮインターフェイス部２２は、画像データを無線ＬＡＮ５０に送信する。すると、前記画像データはアクセスポイント５１を介して無線ＬＡＮインターフェイス部３１に送信される。前記画像データを受信した無線ＬＡＮインターフェイス部３１は、画像データをスキャナアプリケーション３４に送信する。そして、該スキャナアプリケーション３４は、前記画像データに画像処理を行い、表示部３６に画像データの表示指示を行う。さらに、表示部３６は指示に従って画像の表示を行う。
【００６８】
次に、スキャナアプリケーション３４は、受信応答を無線ＬＡＮインターフェイス部３１に送信する。すると、該無線ＬＡＮインターフェイス部３１は前記受信応答を無線ＬＡＮ５０に返信する。そして、前記受信応答は、アクセスポイント５１を介して無線ＬＡＮインターフェイス部２２に送信される。さらに、前記受信応答を受信した無線ＬＡＮインターフェイス部２２は、受信応答を有線ＬＡＮインターフェイス部２１に転送する。該有線ＬＡＮインターフェイス部２１は受信応答を有線ＬＡＮ４０に送信する。そして、前記受信応答を受信したネットワークインターフェイス部１１は、受信応答をスキャナ部１６に送信する。該スキャナ部１６はネットワークインターフェイス部１１に対して終了指示を送信する。
【００６９】
続いて、ネットワークインターフェイス部１１は、通信端末装置３０に対する切断要求を有線ＬＡＮ４０に対して送信する。すると、前記切断要求を受信した有線ＬＡＮインターフェイス部２１は、切断要求を無線ＬＡＮインターフェイス部２２に転送する。前記切断要求を受信した無線ＬＡＮインターフェイス部２２は、切断要求を無線ＬＡＮ５０に送信する。そして、前記切断要求は、アクセスポイント５１を介して無線ＬＡＮインターフェイス部３１に送信される。さらに、前記切断要求を受信した無線ＬＡＮインターフェイス部３１は、切断応答を無線ＬＡＮ５０に返信する。
【００７０】
次に、前記切断応答は、アクセスポイント５１を介して無線ＬＡＮインターフェイス部２２に送信される。すると、前記切断応答を受信した無線ＬＡＮインターフェイス部２２は、切断応答を有線ＬＡＮインターフェイス部２１に転送する。該有線ＬＡＮインターフェイス部２１は切断応答を有線ＬＡＮ４０に送信する。そして、前記切断応答を受信したネットワークインターフェイス部１１は、スキャナ部１６に終了を通知する。さらに、スキャナ部１６は操作部１７に結果表示を指示する。すると、操作部１７は、前記結果表示指示に従って、ユーザにスキャナ動作の結果を表示する。
【００７１】
次に、シーケンスについて説明する。
シーケンスＳＥ４１  ユーザが操作部１７にスキャナ操作を入力する。
シーケンスＳＥ４２  操作部１７はスキャナ操作をスキャナ部１６に送信する。
シーケンスＳＥ４３  スキャナ部１６はスキャナ操作に従ってスキャナ動作を行い、画像データを生成する。
シーケンスＳＥ４４  スキャナ部１６はネットワークインターフェイス部１１に対して画像データ送信指示を前記画像データとともに送信する。
シーケンスＳＥ４５  ネットワークインターフェイス部１１は通信端末装置３０に対する接続要求を有線ＬＡＮ４０を介して有線ＬＡＮインターフェイス部２１に送信する。
シーケンスＳＥ４６  接続要求を受信した有線ＬＡＮインターフェイス部２１は接続要求を無線ＬＡＮインターフェイス部２２に転送する。
シーケンスＳＥ４７  接続要求を受信した無線ＬＡＮインターフェイス部２２は接続要求を無線ＬＡＮ５０を介してアクセスポイント５１に送信する。
シーケンスＳＥ４８  アクセスポイント５１は接続要求を無線ＬＡＮインターフェイス部３１に送信する。
シーケンスＳＥ４９  接続要求を受信した無線ＬＡＮインターフェイス部３１は接続応答を無線ＬＡＮ５０を介してアクセスポイント５１に返信する。
シーケンスＳＥ５０  アクセスポイント５１は接続応答を無線ＬＡＮインターフェイス部２２に送信する。
シーケンスＳＥ５１  接続応答を受信した無線ＬＡＮインターフェイス部２２は接続応答を有線ＬＡＮインターフェイス部２１に転送する。
シーケンスＳＥ５２  有線ＬＡＮインターフェイス部２１は接続応答を有線ＬＡＮ４０を介してネットワークインターフェイス部１１に送信する。
シーケンスＳＥ５３  接続応答を受信したネットワークインターフェイス部１１は画像データを有線ＬＡＮ４０を介して有線ＬＡＮインターフェイス部２１に送信する。
シーケンスＳＥ５４  画像データを受信した有線ＬＡＮインターフェイス部２１は画像データを無線ＬＡＮインターフェイス部２２に転送する。
シーケンスＳＥ５５  画像データを受信した無線ＬＡＮインターフェイス部２２は画像データを無線ＬＡＮ５０を介してアクセスポイント５１に送信する。
シーケンスＳＥ５６  アクセスポイント５１は画像データを無線ＬＡＮインターフェイス部３１に送信する。
シーケンスＳＥ５７  画像データを受信した無線ＬＡＮインターフェイス部３１は画像データをスキャナアプリケーション３４に送信する。
シーケンスＳＥ５８  スキャナアプリケーション３４は画像データに画像処理を行う。
シーケンスＳＥ５９  表示部３６に画像データの表示指示を行う。
シーケンスＳＥ６０  表示部３６は指示に従って画像の表示を行う。
シーケンスＳＥ６１  スキャナアプリケーション３４は受信応答を無線ＬＡＮインターフェイス部３１に送信する。
シーケンスＳＥ６２  無線ＬＡＮインターフェイス部３１は受信応答を無線ＬＡＮ５０を介してアクセスポイント５１に返信する。
シーケンスＳＥ６３  アクセスポイント５１は受信応答を無線ＬＡＮインターフェイス部２２に送信する。
シーケンスＳＥ６４  受信応答を受信した無線ＬＡＮインターフェイス部２２は受信応答を有線ＬＡＮインターフェイス部２１に転送する。
シーケンスＳＥ６５  有線ＬＡＮインターフェイス部２１は受信応答を有線ＬＡＮ４０を介してネットワークインターフェイス部１１に送信する。
シーケンスＳＥ６６  受信応答を受信したネットワークインターフェイス部１１は受信応答をスキャナ部１６に送信する。
シーケンスＳＥ６７  スキャナ部１６はネットワークインターフェイス部１１に対して終了指示を送信する。
シーケンスＳＥ６８  ネットワークインターフェイス部１１は通信端末装置３０に対する切断要求を有線ＬＡＮ４０を介して有線ＬＡＮインターフェイス部２１に送信する。
シーケンスＳＥ６９  切断要求を受信した有線ＬＡＮインターフェイス部２１は切断要求を無線ＬＡＮインターフェイス部２２に転送する。
シーケンスＳＥ７０  切断要求を受信した無線ＬＡＮインターフェイス部２２は切断要求を無線ＬＡＮ５０を介してアクセスポイント５１に送信する。
シーケンスＳＥ７１  アクセスポイント５１は切断要求を無線ＬＡＮインターフェイス部３１に送信する。
シーケンスＳＥ７２  切断要求を受信した無線ＬＡＮインターフェイス部３１は切断応答を無線ＬＡＮ５０を介してアクセスポイント５１に送信する。
シーケンスＳＥ７３  アクセスポイント５１は切断応答を無線ＬＡＮインターフェイス部２２に送信する。
シーケンスＳＥ７４  切断応答を受信した無線ＬＡＮインターフェイス部２２は切断応答を有線ＬＡＮインターフェイス部２１に転送する。
シーケンスＳＥ７５  有線ＬＡＮインターフェイス部２１は切断応答を有線ＬＡＮ４０を介してネットワークインターフェイス部１１に送信する。
シーケンスＳＥ７６  切断応答を受信したネットワークインターフェイス部１１はスキャナ部１６に終了を通知する。
シーケンスＳＥ７７  スキャナ部１６は操作部１７に結果表示を指示する。
シーケンスＳＥ７８  操作部１７は前記結果表示指示に従ってユーザにスキャナ動作の結果を表示する。
【００７２】
次に、画像形成システムにおけるコンバータ装置２０の設定動作について説明する。
【００７３】
図７は本発明の第１の実施の形態における画像形成システムのコンバータ装置の設定動作の基本シーケンスを示す図である。
【００７４】
画像形成システムにおけるコンバータ装置２０への設定動作は、ユーザ１がコンバータ装置２０のテストボタン２９の押下を操作することによって開始される。
【００７５】
まず、ユーザ１がテストボタン２９を押すと、該テストボタン２９はボタン信号をテストボタン検出部２８に通知する。すると、該テストボタン検出部２８は制御部２４にボタン検出を通知する。そして、制御部２４はコンバータ装置２０を設定モードに変更することを決定する。
【００７６】
続いて、制御部２４は有線ＬＡＮインターフェイス部２１に設定モードへの遷移を指示する。すると、有線ＬＡＮインターフェイス部２１は設定モードヘ遷移する。例えば、有線ＬＡＮインターフェイス部２１は、有線ＬＡＮ４０からのネットワークパケットの受信を停止する。そして、制御部２４は無線ＬＡＮインターフェイス部２２に設定モードへの遷移を指示する。すると、無線ＬＡＮインターフェイス部２２は設定モードヘ遷移する。例えば、無線ＬＡＮインターフェイス部２２は、設定用プロトコルを起動し、該設定用プロトコルに従ったネットワークパケットだけを無線ＬＡＮ５０から受信する。ここで、前記設定用プロトコルとして、ＳＮＭＰ（Ｓｉｍｐｌｅ  Ｎｅｔｗｏｒｋ  Ｍａｎａｇｅｍｅｎｔ  Ｐｒｏｔｏｃｏｌ）が使用されるものとするが、別のプロトコルを使用しても、本実施の形態における動作は実現可能である。このようにして、コンバータ装置２０は設定モードに遷移が完了する。
【００７７】
続いて、ユーザ２が通信端末装置３０の操作部３７にコンバータ装置２０への設定操作を入力すると、操作部３７は入力された前記設定操作をコンバータ設定ユーティリティ３８に通知する。すると、該コンバータ設定ユーティリティ３８は、前記設定操作に従って設定情報送信指示を無線ＬＡＮインターフェイス部３１に通知する。そして、前記設定情報送信指示を受信した無線ＬＡＮインターフェイス部３１は、設定情報送信指示に基づいて設定情報を無線ＬＡＮ５０に送信する。ここでは、設定用プロトコルとしてＳＮＭＰが使用されるので、設定情報の送信に先立ってネットワークコネクションの接続要求、及び、その接続応答のやりとりを行う必要がない。
【００７８】
次に、前記設定情報は、アクセスポイント５１を介して無線ＬＡＮインターフェイス部２２に送信される。すると、前記設定情報を受信した無線ＬＡＮインターフェイス部２２は、前記設定情報を制御部２４に転送する。該制御部２４は、前記設定情報を検査し、設定情報記憶部２６の所定の位置への記憶を行い、前記設定情報に対する設定応答を無線ＬＡＮインターフェイス部２２に送信指示を行う。そして、前記設定応答を受信した無線ＬＡＮインターフェイス部２２は、設定応答を無線ＬＡＮ５０に送信する。さらに、前記設定応答は、アクセスポイント５１を介して無線ＬＡＮインターフェイス部３１に送信される。
【００７９】
続いて、無線ＬＡＮインターフェイス部３１は、前記設定応答をコンバータ設定ユーティリティ３８に送信する。すると、該コンバータ設定ユーティリティ３８は、前記設定応答に基づいて表示部３６に設定結果表示指示を通知する。そして、表示部３６は、前記設定結果表示指示に従ってユーザ２に対して設定結果の表示を行う。また、制御部２４は、有線ＬＡＮインターフェイス部２１に運用モードへの遷移を指示する。このとき、制御部２４は受信した設定情報に基づいた設定を指示する。
【００８０】
次に、有線ＬＡＮインターフェイス部２１は、制御部２４の指示に基づいて運用モードヘ遷移する。そして、制御部２４は、無線ＬＡＮインターフェイス部２２に運用モードへの遷移を指示する。このとき、制御部２４は受信した設定情報に基づいた設定を指示する。そして、無線ＬＡＮインターフェイス部２２は、制御部２４の指示に基づいて運用モードヘ遷移する。
【００８１】
次に、シーケンスについて説明する。
シーケンスＳＥ８１  ユーザ１がテストボタン２９を押す。
シーケンスＳＥ８２  テストボタン２９はボタン信号をテストボタン検出部２８に通知する。
シーケンスＳＥ８３  テストボタン検出部２８は制御部２４にボタン検出を通知する。
シーケンスＳＥ８４  制御部２４はコンバータ装置２０を設定モードに変更することを決定し、有線ＬＡＮインターフェイス部２１に設定モードへの遷移を指示する。
シーケンスＳＥ８５  有線ＬＡＮインターフェイス部２１は設定モードヘ遷移する。
シーケンスＳＥ８６  制御部２４は無線ＬＡＮインターフェイス部２２に設定モードへの遷移を指示する。
シーケンスＳＥ８７  無線ＬＡＮインターフェイス部２２は設定モードヘ遷移する。
シーケンスＳＥ８８  ユーザ２が通信端末装置３０の操作部３７にコンバータ装置２０への設定操作を入力する。
シーケンスＳＥ８９  操作部３７は入力された設定操作をコンバータ設定ユーティリティ３８に通知する。
シーケンスＳＥ９０  コンバータ設定ユーティリティ３８は設定操作に従って設定情報送信指示を無線ＬＡＮインターフェイス部３１に通知する。
シーケンスＳＥ９１  設定情報送信指示を受信した無線ＬＡＮインターフェイス部３１は設定情報送信指示に基づいて設定情報を無線ＬＡＮ５０を介してアクセスポイント５１に送信する。
シーケンスＳＥ９２  アクセスポイント５１は設定情報を無線ＬＡＮインターフェイス部２２に送信する。
シーケンスＳＥ９３  設定情報を受信した無線ＬＡＮインターフェイス部２２は設定情報を制御部２４に転送する。
シーケンスＳＥ９４  制御部２４は設定情報を検査し、設定情報記憶部２６の所定の位置への記憶を行う。
シーケンスＳＥ９５  制御部２４は設定情報に対する設定応答を無線ＬＡＮインターフェイス部２２に送信指示を行う。
シーケンスＳＥ９６  設定応答を受信した無線ＬＡＮインターフェイス部２２は設定応答を無線ＬＡＮ５０を介してアクセスポイント５１に送信する。
シーケンスＳＥ９７  アクセスポイント５１は設定応答を無線ＬＡＮインターフェイス部３１に送信する。
シーケンスＳＥ９８  無線ＬＡＮインターフェイス部３１は設定応答をコンバータ設定ユーティリティ３８に送信する。
シーケンスＳＥ９９  コンバータ設定ユーティリティ３８は設定応答に基づいて表示部３６に設定結果表示指示を通知する。
シーケンスＳＥ１００  表示部３６は設定結果表示指示に従ってユーザ２に対して設定結果の表示を行う。
シーケンスＳＥ１０１  制御部２４は有線ＬＡＮインターフェイス部２１に運用モードへの遷移を指示する。
シーケンスＳＥ１０２  有線ＬＡＮインターフェイス部２１は制御部２４の指示に基づいて運用モードヘ遷移する。
シーケンスＳＥ１０３  制御部２４は無線ＬＡＮインターフェイス部２２に運用モードへの遷移を指示する。
シーケンスＳＥ１０４  無線ＬＡＮインターフェイス部２２は制御部２４の指示に基づいて運用モードヘ遷移する。
【００８２】
ところで、本実施の形態における画像形成システムの動作は、コンバータ装置２０から画像形成装置１０へのＷｅｂページデータ格納動作と、通信端末装置３０による画像形成装置１０からのＷｅｂページデータ取得動作との二つに分けられる。
【００８３】
まず、コンバータ装置２０から画像形成装置１０へのＷｅｂページデータ格納動作について説明する。
【００８４】
なお、この場合、コンバータ装置２０と画像形成装置１０とが通信を行い、連携して実行されるので、各装置における動作についてそれぞれ説明する。
【００８５】
図８は本発明の第１の実施の形態におけるコンバータＷｅｂページの表示の例を示す図、図９は本発明の第１の実施の形態におけるコンバータ装置から画像形成装置へのＷｅｂページデータ格納動作のシーケンスを示す図、図１０は本発明の第１の実施の形態におけるコンバータ装置の動作を示すフローチャート、図１１は本発明の第１の実施の形態における画像形成装置の動作を示すフローチャートである。
【００８６】
まず、コンバータ装置２０の時間計測部２５が、所定の時間の経過によるタイムアウトを無線信号検出部２７に通知することによって、動作が開始される。そして、無線信号検出部２７は、無線ＬＡＮインターフェイス部２２から無線信号の強度情報を取得し、強度情報が所定の範囲を超えて変化したことを検出すると、制御部２４に対して変化検出を通知する。
【００８７】
続いて、無線ＬＡＮインターフェイス部２２は、制御部２４からの中継動作の停止指示を受信すると、以後、無線ＬＡＮ５０からのネットワークパケットを受け捨てる。そして、制御部２４の指示によって、Ｗｅｂページ送信部２３は、コンバータ装置２０の情報を示すコンバータＷｅｂページ９０を生成する。このとき、Ｗｅｂページ送信部２３は、設定情報記憶部２６が記憶しているコンバータＷｅｂページ９０を生成するために必要な文字列情報や設定情報を参照する。
【００８８】
ここで、生成されるコンバータＷｅｂページ９０は、図８に示されるようになる。この場合、コンバータＷｅｂページ９０は、Ｗｅｂブラウザで整形表示した場合の表示例である。例えば、Ｗｅｂページデータは、複数のＨＴＭＬ（Ｈｙｐｅｒ  Ｔｅｘｔ  Ｍａｒｋｕｐ  Ｌａｎｇｕａｇｅ）文書、イメージデータ、ＸＭＬ（ｅＸｔｅｎｓｉｂｌｅ  Ｍａｒｋｕｐ  Ｌａｎｇｕａｇｅ）文書等から構成されるが、本実施の形態においては、これらをまとめて、Ｗｅｂページデータと呼ぶものとする。
【００８９】
そして、前記コンバータＷｅｂページ９０の生成が終了すると、続いて、送信動作が開始される。なお、通常運用中は、有線ＬＡＮインターフェイス部２１ではネットワークプロトコルが動作していない。これは、有線ＬＡＮインターフェイス部２１は、無線ＬＡＮインターフェイス部２２から中継されたネットワークパケットを有線ＬＡＮ４０に送信し、逆に、有線ＬＡＮ４０から受信したネットワークパケットを無線ＬＡＮインターフェイス部２２に中継するという動作だけを行うので、ネットワークプロトコルの動作が必要ないためである。なお、本実施の形態における動作においては、前記コンバータＷｅｂページ９０を画像形成装置１０に送信するためにネットワークプロトコル動作が必要となる。
【００９０】
次に、Ｗｅｂページ送信部２３の指示によって、有線ＬＡＮインターフェイス部２１はＴＦＴＰを起動する。なお、ＴＦＴＰによるファイル転送動作については、公知の技術であるので、説明を省略する。
【００９１】
続いて、有線ＬＡＮインターフェイス部２１は、ＴＦＴＰでの接続要求を有線ＬＡＮ４０を介してネットワークインターフェイス部１１に送信する。すると、前記接続要求を受信したネットワークインターフェイス部１１は、ＴＦＴＰの動作を開始する。そして、ＴＦＴＰの動作が開始されると、ネットワークインターフェイス部１１は、受信した要求に応じて、接続応答を返信し、ＴＦＴＰによる接続を確立する。また、有線ＬＡＮインターフェイス部２１は、前記接続応答を受信し、ＴＦＴＰによる接続を確立する。
【００９２】
次に、画像形成装置１０との間にＴＦＴＰによる接続が成功すると、前記コンバータＷｅｂページ９０が画像形成装置１０に対して送信される。そして、ネットワークインターフェイス部１１は、ＴＦＴＰによる前記コンバータＷｅｂページ９０の受信動作を行う。そして、受信されたコンバータＷｅｂページ９０は、Ｗｅｂページ記憶部１３に送信され、所定の形式で格納される。
【００９３】
続いて、前記コンバータＷｅｂページ９０の送信が終了すると、有線ＬＡＮインターフェイス部２１は、ＴＦＴＰによる接続の切断要求を送信する。すると、該切断要求を受信したネットワークインターフェイス部１１は、切断応答を返信し、ＴＦＴＰの接続を切断する。その後、ネットワークインターフェイス部１１はＴＦＴＰの動作を終了する。
【００９４】
そして、前記切断応答を有線ＬＡＮインターフェイス部２１が受信すると、送信動作の終了通知がＷｅｂページ送信部２３及び制御部２４に通知され、ＴＦＴＰの動作が終了する。また、制御部２４は、無線ＬＡＮインターフェイス部２２に対して運用モードへの復帰を指示する。すると、無線ＬＡＮインターフェイス部２２は、無線ＬＡＮ５０からのネットワークパケット受信動作を再開する。
【００９５】
最後に、制御部２４は、時間計測部２５に対して、次回のコンバータＷｅｂページ９０送信動作開始のためのタイマをセットする。
【００９６】
次に、シーケンスについて説明する。
シーケンスＳＥ１１１  コンバータ装置２０の時間計測部２５がタイムアウトを無線信号検出部２７に通知する。
シーケンスＳＥ１１２  無線信号検出部２７は無線ＬＡＮインターフェイス部２２から無線信号の強度情報を取得する。
シーケンスＳＥ１１３  無線信号検出部２７は強度情報の変化を検出する。
シーケンスＳＥ１１４  無線信号検出部２７は制御部２４に対して強度情報の変化を通知する。
シーケンスＳＥ１１５  制御部２４は無線ＬＡＮインターフェイス部２２に中継停止を指示する。
シーケンスＳＥ１１６  無線ＬＡＮインターフェイス部２２は制御部２４からの中継動作の停止指示を受信すると、以後、無線ＬＡＮ５０からのネットワークパケットを受け捨てる。
シーケンスＳＥ１１７  制御部２４はＷｅｂページ送信部２３にＷｅｂページの送信を指示する。
シーケンスＳＥ１１８  Ｗｅｂページ送信部２３は設定情報記憶部２６から設定情報を取得する。
シーケンスＳＥ１１９  Ｗｅｂページ送信部２３はコンバータ装置２０の情報を示すコンバータＷｅｂページ９０を生成する。
シーケンスＳＥ１２０  Ｗｅｂページ送信部２３は有線ＬＡＮインターフェイス部２１にＷｅｂページ送信要求を送信する。
シーケンスＳＥ１２１  有線ＬＡＮインターフェイス部２１はＴＦＴＰを起動する。
シーケンスＳＥ１２２  有線ＬＡＮインターフェイス部２１はＴＦＴＰでの接続要求を有線ＬＡＮ４０を介してネットワークインターフェイス部１１に送信する。
シーケンスＳＥ１２３  接続要求を受信したネットワークインターフェイス部１１はＴＦＴＰの動作を開始する。
シーケンスＳＥ１２４  ネットワークインターフェイス部１１は受信した要求に応じて接続応答を有線ＬＡＮインターフェイス部２１に返信する。
シーケンスＳＥ１２５  接続応答を受信した有線ＬＡＮインターフェイス部２１はＷｅｂページデータをネットワークインターフェイス部１１に送信する。
シーケンスＳＥ１２６  ネットワークインターフェイス部１１は受信したコンバータＷｅｂページデータをＷｅｂページ記憶部１３に送信する。
シーケンスＳＥ１２７  Ｗｅｂページ記憶部１３はコンバータＷｅｂページデータを格納する。
シーケンスＳＥ１２８  有線ＬＡＮインターフェイス部２１はＴＦＴＰによる接続の切断要求をネットワークインターフェイス部１１に送信する。
シーケンスＳＥ１２９  切断要求を受信したネットワークインターフェイス部１１は切断応答を有線ＬＡＮインターフェイス部２１に返信する。
シーケンスＳＥ１３０  ネットワークインターフェイス部１１はＴＦＴＰを停止する。
シーケンスＳＥ１３１  切断応答を受信した有線ＬＡＮインターフェイス部２１はＷｅｂページ送信部２３に送信終了を通知する。
シーケンスＳＥ１３２  有線ＬＡＮインターフェイス部２１はＴＦＴＰを停止する。
シーケンスＳＥ１３３  Ｗｅｂページ送信部２３は制御部２４に送信終了を通知する。
シーケンスＳＥ１３４  制御部２４は無線ＬＡＮインターフェイス部２２に対して運用モードへの復帰を指示する。
シーケンスＳＥ１３５  無線ＬＡＮインターフェイス部２２は無線ＬＡＮ５０からのネットワークパケット受信動作を再開する。
シーケンスＳＥ１３６  制御部２４は時間計測部２５に対して次回のコンバータＷｅｂページ９０の送信動作開始のためのタイマをセットする。
【００９７】
次に、図１０のフローチャートについて説明する。
ステップＳ１  タイムアウトが発生する。
ステップＳ２  電波強度を取得する。
ステップＳ３  電波強度が所定の範囲を超えたか否かを判断する。電波強度が所定の範囲を超えた場合はステップＳ４に進み、電波強度が所定の範囲を超えていない場合はステップＳ１２に進む。
ステップＳ４  中継を停止する。
ステップＳ５  コンバータＷｅｂページを生成する。
ステップＳ６  ＴＦＴＰを起動する。
ステップＳ７  ＴＦＴＰを接続する。
ステップＳ８  Ｗｅｂページデータを送信する。
ステップＳ９  ＴＦＴＰを切断する。
ステップＳ１０  ＴＦＴＰを終了する。
ステップＳ１１  運用モードに復帰する。
ステップＳ１２  タイマをリセットし、処理を終了する。
【００９８】
次に、図１１のフローチャートについて説明する。
ステップＳ２１  ＴＦＴＰの接続要求を待機し、ＴＦＴＰの接続要求があったか否かを判断する。ＴＦＴＰの接続要求があった場合はステップＳ２２に進み、ＴＦＴＰの接続要求がない場合はそのまま待機する。
ステップＳ２２  ＴＦＴＰの動作を開始する。
ステップＳ２３  ＴＦＴＰを接続する。
ステップＳ２４  Ｗｅｂページデータを受信する。
ステップＳ２５  Ｗｅｂページデータを格納する。
ステップＳ２６  ＴＦＴＰを切断する。
ステップＳ２７  ＴＦＴＰの動作を終了し、処理を終了する。
【００９９】
次に、通信端末装置３０による画像形成装置１０からのＷｅｂページデータ取得動作について説明する。
【０１００】
なお、この場合、通信端末装置３０と画像形成装置１０とが通信を行うことによって実行されるので、各装置における動作についてそれぞれ説明する。
【０１０１】
図１２は本発明の第１の実施の形態におけるＷｅｂページデータ取得動作のシーケンスを示す図である。
【０１０２】
なお、通信端末装置３０における動作は、一般のＷｅｂブラウザによるＷｅｂページ取得動作と同様である。
【０１０３】
まず、通信端末装置３０における動作は、ユーザが操作部３７にＵＲＬを入力することによって開始される。そして、操作部３７に入力されたＵＲＬは、Ｗｅｂブラウザ３５に通知され、無線ＬＡＮインターフェイス３１にＨＴＴＰによる接続要求として通知される。
【０１０４】
続いて、無線ＬＡＮインターフェイス３１は、無線ＬＡＮ５０にＨＴＴＰによる接続要求を送信する。すると、該接続要求は、アクセスポイント５１を介してコンバータ装置２０の無線ＬＡＮインターフェイス部２２に送信される。そして、前記接続要求を受信した無線ＬＡＮインターフェイス部２２は、接続要求を有線ＬＡＮインターフェイス部２１に転送する。さらに、有線ＬＡＮインターフェイス部２１は、転送された接続要求を有線ＬＡＮ４０に送信する。
【０１０５】
次に、接続要求を受信した画像形成装置１０のネットワークインターフェイス部１１は、接続応答を有線ＬＡＮ４０に返信し、ＨＴＴＰによる接続を確立する。そして、前記接続応答を受信した有線ＬＡＮインターフェイス部２１は、接続応答を無線ＬＡＮインターフェイス部２２に転送する。該無線ＬＡＮインターフェイス部２２は、転送された接続応答を無線ＬＡＮ５０に送信する。
【０１０６】
続いて、前記接続応答は、アクセスポイント５１を介して無線ＬＡＮインターフェイス部３１に送信される。前記接続応答を受信した無線ＬＡＮインターフェイス部３１は、ＨＴＴＰによる接続を確立し、Ｗｅｂブラウザ３５に接続確立を通知する。そして、Ｗｅｂブラウザは、ＨＴＴＰコマンドを生成し、無線ＬＡＮインターフェイス部３１を介して無線ＬＡＮ５０に送信する。すると、前記ＨＴＴＰコマンドは、アクセスポイント５１を介してコンバータ装置２０の無線ＬＡＮインターフェイス部２２に送信される。
【０１０７】
次に、前記ＨＴＴＰコマンドを受信した無線ＬＡＮインターフェイス部２２は、ＨＴＴＰコマンドを有線ＬＡＮインターフェイス部２１に転送する。すると、該有線ＬＡＮインターフェイス部２１は、転送されたＨＴＴＰコマンドを有線ＬＡＮ４０に送信する。そして、前記ＨＴＴＰコマンドを受信したネットワークインターフェイス部１１は、前記ＨＴＴＰコマンドをＷｅｂサーバ部１２に送信する。該Ｗｅｂサーバ部１２は、前記ＨＴＴＰコマンドに応じたＷｅｂページデータの送信を準備する。
【０１０８】
次に、シーケンスについて説明する。
シーケンスＳＥ１４１  ユーザが操作部３７にＵＲＬを入力する。
シーケンスＳＥ１４２  操作部３７は入力されたＵＲＬをＷｅｂブラウザ３５に通知する。
シーケンスＳＥ１４３  無線ＬＡＮインターフェイス３１はＨＴＴＰプロトコルによる接続要求を無線ＬＡＮインターフェイス３１に通知する。
シーケンスＳＥ１４４  無線ＬＡＮインターフェイス３１は無線ＬＡＮ５０を介してＨＴＴＰプロトコルによる接続要求をアクセスポイント５１に送信する。
シーケンスＳＥ１４５  アクセスポイント５１は無線ＬＡＮインターフェイス部２２に接続要求を送信する。
シーケンスＳＥ１４６  無線ＬＡＮインターフェイス部２２は接続要求を有線ＬＡＮインターフェイス部２１に転送する。
シーケンスＳＥ１４７  有線ＬＡＮインターフェイス部２１は転送された接続要求を有線ＬＡＮ４０を介してネットワークインターフェイス部１１に送信する。
シーケンスＳＥ１４８  ネットワークインターフェイス部１１は接続応答を有線ＬＡＮ４０を介して有線ＬＡＮインターフェイス部２１に返信する。
シーケンスＳＥ１４９  有線ＬＡＮインターフェイス部２１は接続応答を無線ＬＡＮインターフェイス部２２に転送する。
シーケンスＳＥ１５０  無線ＬＡＮインターフェイス部２２は転送された接続応答を無線ＬＡＮ５０を介してアクセスポイント５１に送信する。
シーケンスＳＥ１５１  アクセスポイント５１は接続応答を無線ＬＡＮインターフェイス部３１に送信する。
シーケンスＳＥ１５２  接続応答を受信した無線ＬＡＮインターフェイス部３１はＷｅｂページデータの取得要求を生成する。
シーケンスＳＥ１５３  無線ＬＡＮインターフェイス部３１はアクセスポイント５１に取得要求を送信する。
シーケンスＳＥ１５４  アクセスポイント５１は無線ＬＡＮインターフェイス部２２に取得要求を送信する。
シーケンスＳＥ１５５  無線ＬＡＮインターフェイス部２２は有線ＬＡＮインターフェイス部２１に取得要求を転送する。
シーケンスＳＥ１５６  有線ＬＡＮインターフェイス部２１はネットワークインターフェイス部１１に取得要求を送信する。
シーケンスＳＥ１５７  ネットワークインターフェイス部１１はＷｅｂサーバ部１２に取得要求を送信する。
シーケンスＳＥ１５８  Ｗｅｂサーバ部１２はＷｅｂページデータを準備する。
シーケンスＳＥ１５９  Ｗｅｂサーバ部１２はＷｅｂページをネットワークインターフェイス部１１に送信する。
シーケンスＳＥ１６０  ネットワークインターフェイス部１１はＷｅｂページを有線ＬＡＮインターフェイス部２１に送信する。
シーケンスＳＥ１６１  有線ＬＡＮインターフェイス部２１はＷｅｂページを無線ＬＡＮインターフェイス部２２に転送する。
シーケンスＳＥ１６２  無線ＬＡＮインターフェイス部２２はＷｅｂページをアクセスポイント５１に送信する。
シーケンスＳＥ１６３  アクセスポイント５１はＷｅｂページを無線ＬＡＮインターフェイス部３１に送信する。
シーケンスＳＥ１６４  無線ＬＡＮインターフェイス部３１はＷｅｂページをＷｅｂブラウザ３５に送信する。
シーケンスＳＥ１６５  Ｗｅｂブラウザ３５は無線ＬＡＮインターフェイス部３１に終了指示を送信する。
シーケンスＳＥ１６６  無線ＬＡＮインターフェイス部３１は切断要求をアクセスポイント５１に送信する。
シーケンスＳＥ１６７  アクセスポイント５１は切断要求を無線ＬＡＮインターフェイス部２２に送信する。
シーケンスＳＥ１６８  無線ＬＡＮインターフェイス部２２は切断要求を有線ＬＡＮインターフェイス部２１に転送する。
シーケンスＳＥ１６９  有線ＬＡＮインターフェイス部２１は切断要求をネットワークインターフェイス部１１に送信する。
シーケンスＳＥ１７０  ネットワークインターフェイス部１１は切断応答を有線ＬＡＮインターフェイス部２１に返信する。
シーケンスＳＥ１７１  有線ＬＡＮインターフェイス部２１は切断応答を無線ＬＡＮインターフェイス部２２に転送する。
シーケンスＳＥ１７２  無線ＬＡＮインターフェイス部２２は切断応答をアクセスポイント５１に送信する。
シーケンスＳＥ１７３  アクセスポイント５１は切断応答を無線ＬＡＮインターフェイス部３１に送信する。
シーケンスＳＥ１７４  無線ＬＡＮインターフェイス部３１は切断の終了をＷｅｂブラウザ３５に通知する。
シーケンスＳＥ１７５  Ｗｅｂブラウザ３５はＷｅｂページの整形処理を行う。
シーケンスＳＥ１７６  Ｗｅｂブラウザ３５は表示部３６にレスポンスＷｅｂページの表示を指示する。
シーケンスＳＥ１７７  表示部３６はユーザにＷｅｂページを表示する。
【０１０９】
次に、通信端末装置３０及び画像形成装置１０の動作について詳細に説明する。
【０１１０】
図１３は本発明の第１の実施の形態における第２Ｗｅｂページデータの表示の例を示す図、図１４は本発明の第１の実施の形態におけるメニューフレームの例を示す図、図１５は本発明の第１の実施の形態におけるハイパーリンクが付加されたメニューフレームの例を示す図、図１６は本発明の第１の実施の形態におけるメニューフレームのＷｅｂページデータの構造を示す図、図１７は本発明の第１の実施の形態におけるメニューフレームの他のＷｅｂページデータの構造を示す図、図１８は本発明の第１の実施の形態における画像形成装置から送信されるＷｅｂページの表示の例を示す図、図１９は本発明の第１の実施の形態における画像形成装置の動作を示すフローチャート、図２０は本発明の第１の実施の形態における通信端末装置の動作を示すフローチャートである。
【０１１１】
まず、本実施の形態における画像形成装置１０の情報を示す第２ＷｅｂページデータがＷｅｂブラウザ等によって整形され、表示された場合の表示例について説明する。
【０１１２】
図１３に示されるように、画像形成装置１０のＷｅｂページの表示は、大別して、三つの部分によって構成される。タイトルフレーム６０は画像形成装置１０のモデル名や企業のロゴ等を表示し、メニューフレーム７０は画像形成装置１０の情報を機能毎に分類したメニューを表示し、コンテンツフレーム８０は、前記メニューフレーム７０に表示されたメニューの中からユーザによって選択された機能に対応した情報を表示する。図１５には、メニューフレーム７０の“Ｐｒｉｎｔｅｒ”メニューが選択された状態が示されている。なお、Ｗｅｂページ表示例においては、タイトルバー、メニューバー、ステータスバー等、Ｗｅｂブラウザのウィンドウは省略して図示される。
【０１１３】
画像形成装置１０の前記Ｗｅｂサーバ部１２は前記ＨＴＴＰコマンドを解析する。例えば、前記ＨＴＴＰコマンドがＷｅｂページデータの取得要求以外のコマンドである場合、Ｗｅｂサーバ部１２は前記ＨＴＴＰコマンドに対応したレスポンスを生成する。そして、生成されたレスポンスはネットワークインターフェイス部１１を介して通信端末装置３０に応答される。その後、ネットワークインターフェイス部１１は次のＨＴＴＰコマンドを受信するために待機する。
【０１１４】
また、前記ＨＴＴＰコマンドがＷｅｂページデータの取得要求である場合、Ｗｅｂサーバ部１２は、Ｗｅｂページデータ取得要求がどのフレームについての取得要求であるかを解析する。そして、前記ＨＴＴＰコマンドがメニューフレームについての要求である場合、Ｗｅｂサーバ部１２は、図１４に示されるようなメニューフレーム７０のためのメニューフレームデータを生成する。その際、設定情報記憶部１８内の各種設定値を参照して、前記メニューフレームデータに表示する文字列を決定する。
【０１１５】
次に、Ｗｅｂサーバ部１２は、Ｗｅｂページ記憶部１３内に、前記コンバータＷｅｂページ９０が格納されているか否かを確認する。ここで、例えば、Ｗｅｂページ記憶部１３内に前記コンバータＷｅｂページ９０が存在する場合、図１４に示されるようなメニューフレーム７０に、前記コンバータＷｅｂページ９０をコンテンツフレーム８０の代わりに表示させるためのハイパーリンク７２を付加し、図１５に示されるようなメニューフレーム７０を表示させるメニューフレームデータを生成する。前記ハイパーリンク７２は、通信端末装置３０のユーザによって選択されることにより、コンテンツフレーム８０の代わりにコンバータ装置２０によって生成された前記コンバータＷｅｂページ９０を表示させる役割を有する。
【０１１６】
ここで、図１４に示されるようなメニューフレーム７０のためのメニューフレームデータとしてのＷｅｂページデータ７０ａは、図１６に示されるような構造を有する。Ｗｅｂページデータ７０ａには、“Ｇｅｎｅｒａｌ”コンテンツフレームを表示するためのＨＴＭＬタグ７０ｂ、“Ｐｒｉｎｔｅｒ”コンテンツフレームを表示するためのＨＴＭＬタグ７０ｃ、及び、“Ｓｃａｎｎｅｒ”コンテンツフレームを表示するためのＨＴＭＬタグ７０ｄが埋め込まれる。
【０１１７】
また、図１５に示されるようなメニューフレーム７０のためのメニューフレームデータとしてのＷｅｂページデータ７１ａは、図１７に示されるような構造を有する。Ｗｅｂページデータ７１ａには、前記Ｗｅｂページデータ７０ａに含まれている各コンテンツフレームへのＨＴＭＬタグ７０ｂ、７０ｃ及び７０ｄに加え、前記コンバータＷｅｂページ９０を表示するためのＨＴＭＬタグ７０ｅが挿入される。
【０１１８】
このようにして、図１４又は１５に示されるようなメニューフレーム７０を表示させるメニューフレームデータが、前記ＨＴＴＰコマンドへのレスポンスとして準備される。
【０１１９】
次に、前記ＨＴＴＰコマンドがタイトルフレーム６０についての要求である揚合、Ｗｅｂサーバ部１２は、タイトルフレーム６０のためのタイトルフレームデータを生成する。その際、設定情報記憶部１８内の各種設定値を参照し、前記タイトルフレームデータに表示する文字列を決定する。
【０１２０】
なお、本実施の形態においては、タイトルフレーム６０が前記コンバータＷｅｂページ９０の有無によって変化しないので、前記タイトルフレームデータが前記ＨＴＴＰコマンドへのレスポンスとして準備される。
【０１２１】
次に、前記ＨＴＴＰコマンドがコンテンツフレーム８０についての要求である場合、Ｗｅｂサーバ部１２は、コンテンツフレーム８０のためのコンテンツフレームデータを生成する。その際、設定情報記憶部１８内の各種設定値を参照し、前記コンテンツフレームデータに表示する文字列を決定する。
【０１２２】
なお、本実施の形態においては、コンテンツフレーム８０が前記コンバータＷｅｂページ９０の有無によって変化しないので、前記コンテンツフレームデータが前記ＨＴＴＰコマンドへのレスポンスとして準備される。
【０１２３】
このように、レスポンスとして準備されたレスポンスＷｅｂページは、ネットワークインターフェイス部１１を介して通信端末装置３０に応答される。その後、ネットワークインターフェイス部１１は、次のＨＴＴＰコマンドを受信するために待機する。
【０１２４】
そして、ネットワークインターフェイス部１１から有線ＬＡＮ４０を介して送信された前記レスポンスＷｅｂページを受信した有線ＬＡＮインターフェイス部２１は、前記レスポンスＷｅｂページを無線ＬＡＮインターフェイス部２２に転送する。該無線ＬＡＮインターフェイス部２２は転送されたレスポンスＷｅｂページを無線ＬＡＮ５０に送信する。すると、前記レスポンスＷｅｂページは、アクセスポイント５１を介して無線ＬＡＮインターフェイス部３１に送信される。
【０１２５】
続いて、前記レスポンスＷｅｂページを無線ＬＡＮインターフェイス部３１を介して受信したＷｅｂブラウザ３５は、無線ＬＡＮインターフェイス部３１に対してＨＴＴＰの切断を指示する。すると、無線ＬＡＮインターフェイス部３１は切断要求を無線ＬＡＮ５０に送信する。そして、前記切断要求は、アクセスポイント５１を介してコンバータ装置２０の無線ＬＡＮインターフェイス部２２に送信される。前記切断要求を受信した無線ＬＡＮインターフェイス部２２は、切断要求を有線ＬＡＮインターフェイス部２１に転送する。さらに、有線ＬＡＮインターフェイス部２１は転送された切断要求を有線ＬＡＮ４０に送信する。
【０１２６】
次に、該有線ＬＡＮ４０を介して前記切断要求を受信した画像形成装置１０のネットワークインターフェイス部１１は、切断応答を有線ＬＡＮ４０に返信し、ＨＴＴＰによる接続を切断する。そして、前記切断応答を受信した有線ＬＡＮインターフェイス部２１は、切断応答を無線ＬＡＮインターフェイス部２２に転送する。すると、該無線ＬＡＮインターフェイス部２２は転送された切断応答を無線ＬＡＮ５０に送信する。
【０１２７】
続いて、前記切断応答は、アクセスポイント５１を介して無線ＬＡＮインターフェイス部３１に送信される。Ｗｅｂブラウザ３５は、無線ＬＡＮインターフェイス３１からＨＴＴＰによる切断の終了が通知されると、前記レスポンスＷｅｂページを表示のための整形処理を行い、表示に必要なすべてのＷｅｂページデータを取得したか否かを確認する。そして、表示に必要なすべてのＷｅｂページデータが取得できた場合、表示部３６に前記レスポンスＷｅｂページの表示を指示する。すると、表示部３６はユーザに、図１８に示されるようなＷｅｂページを表示する。
【０１２８】
図１８には、図１５に示されるようなメニューフレーム７０を表示されたハイパーリンク７２は、通信端末装置３０のユーザが選択することによって、コンバータＷｅｂページ９０が、画像形成装置１０の情報を表示するメニューフレーム７１とタイトルフレーム６０とに結合されて表示された状態が示されている。
【０１２９】
次に、図１９のフローチャートについて説明する。
ステップＳ３１  ＨＴＴＰの接続要求の受信をしたか否かを判断する。ＨＴＴＰの接続要求を受信した場合はステップＳ３２に進み、ＨＴＴＰの要求を受信しない場合はそのまま待機する。
ステップＳ３２  ＨＴＴＰを接続する。
ステップＳ３３  ＨＴＴＰコマンドを受信したか否かを判断する。ＨＴＴＰコマンドを受信した場合はステップＳ３４に進み、ＨＴＴＰコマンドを受信しない場合はステップＳ４８に進む。
ステップＳ３４  Ｗｅｂページデータの取得要求があるか否かを判断する。Ｗｅｂページデータの取得要求がある場合はステップＳ３５に進み、Ｗｅｂページデータの取得要求がない場合はステップＳ４６に進む。
ステップＳ３５  メニューフレームであるか否かを判断する。メニューフレームである場合はステップＳ３９に進み、メニューフレームでない場合はステップＳ３６に進む。
ステップＳ３６  タイトルフレームであるか否かを判断する。タイトルフレームである場合はステップＳ４２に進み、タイトルフレームでない場合はステップＳ３７に進む。
ステップＳ３７  コンテンツフレームであるか否かを判断する。コンテンツフレームである場合はステップＳ４３に進み、コンテンツフレームでない場合はステップＳ３８に進む。
ステップＳ３８  コンバータフレームであるか否かを判断する。コンバータフレームである場合はステップＳ４４に進み、コンバータフレームでない場合はステップＳ４６に進む。
ステップＳ３９  メニューフレームデータを生成する。
ステップＳ４０  コンバータ装置２０のＷｅｂページが存在するか否かを判断する。Ｗｅｂページが存在する場合はステップＳ４１に進み、Ｗｅｂページが存在しない場合はステップＳ４５に進む。
ステップＳ４１  メニューフレームにハイパーリンクを付加する。
ステップＳ４２  タイトルフレームデータを生成する。
ステップＳ４３  コンテンツフレームデータを生成する。
ステップＳ４４  コンバータ装置２０のＷｅｂページデータを取り出す。
ステップＳ４５  取得要求へのレスポンスとして送信する。
ステップＳ４６  対応したレスポンスを生成する。
ステップＳ４７  受信したＨＴＴＰコマンドへのレスポンスとして送信する。
ステップＳ４８  ＨＴＴＰを切断したか否かを判断する。ＨＴＴＰを切断した場合は処理を終了し、ＨＴＴＰを切断していない場合はステップＳ３３に戻る。
【０１３０】
次に、図２０のフローチャートについて説明する。
ステップＳ５１  ＵＲＬを入力する。
ステップＳ５２  ＨＴＴＰの接続を要求する。
ステップＳ５３  ＨＴＴＰの接続が確立したか否かを判断する。ＨＴＴＰの接続が確立した場合はステップＳ５４に進み、ＨＴＴＰの接続が確立しない場合はそのまま待機する。
ステップＳ５４  ＨＴＴＰコマンドを送信する。
ステップＳ５５  レスポンスを受信したか否かを判断する。レスポンスを受信した場合はステップＳ５６に進み、レスポンスを受信しない場合はそのまま待機する。
ステップＳ５６  ＨＴＴＰを切断する。
ステップＳ５７  表示に必要なすべてのＷｅｂページデータを取得したか否かを判断する。すべてのＷｅｂページデータを取得した場合はステップＳ５８に進み、すべてのＷｅｂページデータを取得していない場合はステップＳ５２に戻る。
ステップＳ５８  Ｗｅｂページを表示し、処理を終了する。
【０１３１】
このように、本実施の形態においては、コンバータ装置２０の情報を表示するコンバータＷｅｂページデータが画像形成装置１０の情報を表示するＷｅｂページデータに結合され、画像形成装置１０から送信されるようになっている。そのため、コンバータ装置２０を設定モードに変更しなくても、通信端末装置３０は、画像形成装置１０から該画像形成装置１０の情報を表示するＷｅｂページデータを取得することによって、該Ｗｅｂページデータに結合されたコンバータ装置２０の情報を表示するコンバータＷｅｂページデータを取得することができる。
【０１３２】
次に、本発明の第２の実施の形態について説明する。なお、第１の実施の形態と同じ構造を有するものについては、同じ符号を付与することによって、その説明を省略する。また、前記第１の実施の形態と同じ動作及び同じ効果についても、その説明を省略する。
【０１３３】
図２１は本発明の第２の実施の形態における画像形成システムの構成図である。
【０１３４】
図において、１００は、本実施の形態における画像形成装置であり、ネットワーク接続機能を有し、有線ＬＡＮ４０を介して、本実施の形態における中継装置としてのコンバータ装置１１０と通信可能に接続されている。そして、該コンバータ装置１１０は、有線ＬＡＮ４０及び無線ＬＡＮ５０に接続され、有線ＬＡＮ４０から受信したネットワークパケットを無条件に無線ＬＡＮ５０に中継し、逆に、無線ＬＡＮ５０から受信したネットワークパケットを有線ＬＡＮ４０に無条件に中継する。
【０１３５】
なお、通信端末装置３０は、前記第１の実施の形態と同様のものであり、無線ＬＡＮ５０に接続してネットワーク通信を行う機能、Ｗｅｂブラウザを実行する機能、及び、ユーザの操作に従って指定されたネットワーク上のアドレスに対してＨＴＴＰによるＷｅｂページ取得動作を実行する機能を有する。
【０１３６】
また、アクセスポイント５１は、前記第１の実施の形態と同様に、無線ＬＡＮ５０を管理し、コンバータ装置１１０と通信端末装置３０との無線通信を仲介する。
【０１３７】
なお、本実施の形態においても、前記第１の実施の形態と同様に、有線ＬＡＮ４０がＩＥＥＥ８０２．３又はそのサブ規格に則った有線ネットワークであり、無線ＬＡＮ５０がＩＥＥＥ８０２．１１又はそのサブ規格に則った無線ネットワークである場合について説明する。
【０１３８】
次に、前記画像形成装置１００の機能構成について詳細に説明する。
【０１３９】
図２２は本発明の第２の実施の形態における画像形成装置のブロック図である。
【０１４０】
図に示されるように、画像形成装置１００は、ネットワークインターフェイス部１０１、第２送信部としてのＷｅｂサーバ部１０２、Ｗｅｂページ記憶部１０３、制御部１０４、プリンタ部１０５、スキャナ部１０６、操作部１０７、設定情報記憶部１０８及びＷｅｂページ更新部１０９を有する。
【０１４１】
ネットワークインターフェイス部１０１は、有線ＬＡＮ４０に接続され、ＨＴＴＰを始めとする種々のネットワークプロトコルを制御する機能、及び、各プロトコルに応じて画像データや印刷データ、Ｗｅｂページデータ等を入出力する機能を有する。
【０１４２】
そして、Ｗｅｂサーバ部１０２は、設定情報記憶部１０８内の各種情報に基づいてＷｅｂページデータとしての第２Ｗｅｂページデータを生成する機能と、Ｗｅｂページ記憶部１０３内に格納されているＷｅｂページデータとしての第１Ｗｅｂページデータを前記第２Ｗｅｂページデータに結合する機能と、該第２Ｗｅｂページデータ及び前記第１Ｗｅｂページデータをネットワークインターフェイス部１０１を介して有線ＬＡＮ４０に送信する機能とを有する。
【０１４３】
また、Ｗｅｂページ記憶部１０３は、ネットワークインターフェイス部１０１を介して有線ＬＡＮ４０から受信した前記第１Ｗｅｂページデータを格納する機能と、Ｗｅｂサーバ部１０２の要求に応じ、格納されている第１Ｗｅｂページデータを取り出す機能を有する。
【０１４４】
さらに、制御部１０４は、画像形成装置１００の全体を制御する機能を有し、ネットワークインターフェイス部１０１、Ｗｅｂサーバ部１０２、Ｗｅｂページ記憶部１０３、プリンタ部１０５、スキャナ部１０６、操作部１０７、設定情報記憶部１０８及びＷｅｂページ更新部１０９を制御して各種の動作を実行する。
【０１４５】
そして、プリンタ部１０５は、前記制御部１０４の指示に従い、ネットワークインターフェイス部１０１を介して有線ＬＡＮ４０から受信した印刷データの印刷を実行する機能を有する。
【０１４６】
また、スキャナ部１０６は、前記制御部１０４の指示に従い、操作部１０７から入力された指示に従って読み取った画像データを、ネットワークインターフェイス部１０１を介して有線ＬＡＮ４０に送信する機能を有する。
【０１４７】
さらに、操作部１０７は、キーボード、タッチパネル、液晶パネル等の入出力手段を備え、ユーザに対して画像形成装置１００の設定変更や画像読取操作のためのインターフェイスを提供する機能を有する。
【０１４８】
そして、Ｗｅｂページ更新部１０９は、ネットワークインターフェイス部１０１を介して有線ＬＡＮ４０から受信されたＷｅｂページ更新データに基づいて、Ｗｅｂページ記憶部１０３に格納されている前記第１Ｗｅｂページデータを更新する機能を有する。
【０１４９】
次に、コンバータ装置１１０の機能構成について詳細に説明する。
【０１５０】
図２３は本発明の第２の実施の形態におけるコンバータ装置のブロック図である。
【０１５１】
図に示されるように、コンバータ装置１１０は、有線ＬＡＮインターフェイス部１１１、無線ＬＡＮインターフェイス部１１２、第１送信部としてのＷｅｂページ送信部１１３、制御部１１４、時間計測部１１５、設定情報記憶部１１６、信号強度検出部としての無線信号検出部１１７、テストボタン検出部１１８、テストボタン１１９及びＷｅｂページ更新部としてのＷｅｂ更新データ送信部１２０を有する。
【０１５２】
有線ＬＡＮインターフェイス部１１１は、有線ＬＡＮ４０に接続され、無線ＬＡＮインターフェイス部１１２から中継されたネットワークパケットを有線ＬＡＮ４０に送信し、逆に、有線ＬＡＮ４０から受信したネットワークパケットを無線ＬＡＮインターフェイス部１１２に中継する。また、有線ＬＡＮインターフェイス部１１１は、Ｗｅｂページ送信部１１３によって生成されたＷｅｂページデータとしてのコンバータＷｅｂページ９０を、ＴＦＴＰをプロトコルとして用い、有線ＬＡＮ４０に送信する機能を有する。
【０１５３】
さらに、無線ＬＡＮインターフェイス部１１２は、無線ＬＡＮ５０に接続され、有線ＬＡＮインターフェイス部１１１から中継されたネットワークパケットを無線ＬＡＮ５０に送信し、逆に、無線ＬＡＮ５０から受信したネットワークパケットを有線ＬＡＮインターフェイス部１１１に中継する。
【０１５４】
そして、Ｗｅｂページ送信部１１３は、コンバータ装置１１０内の各種情報に基づいてＷｅｂページデータを生成する機能、及び、生成されたＷｅｂページデータをコンバータＷｅｂページ９０として、有線ＬＡＮインターフェイス部１１１を介して有線ＬＡＮ４０に送信する機能を有する。
【０１５５】
また、制御部１１４は、コンバータ装置１１０の全体を制御し、有線ＬＡＮインターフェイス部１１１、無線ＬＡＮインターフェイス部１１２及びＷｅｂページ送信部１１３に前記各動作を実行させる。
【０１５６】
さらに、無線信号検出部１１７は、無線ＬＡＮインターフェイス１１２を介して無線ＬＡＮ５０の電波強度を検出し、検出された電波強度が所定の範囲を超えたときに制御部１１４に通知する。
【０１５７】
そして、テストボタン１１９は、コンバータ装置１１０を設定モードで起動するためのインターフェイスをユーザに提供する。
【０１５８】
また、テストボタン検出部１１８は、テストボタン１１９の状態を検出し、該テストボタン１１９が押されていることを検出すると、制御部１１４に通知する。
【０１５９】
そして、Ｗｅｂ更新データ送信部１２０は、コンバータ装置１１０内の各種情報に基づいて前記コンバータＷｅｂページデータに対するＷｅｂページ更新データを生成する機能、及び、前記生成されたＷｅｂページ更新データを有線ＬＡＮインターフェイス部１１１を介して有線ＬＡＮ４０に送信する機能を有する。
【０１６０】
なお、通信端末装置３０の構成については、前記第１の実施の形態における通信端末装置の構成と同様であるので、説明を省略する。
【０１６１】
次に、前記構成の画像形成システムの動作について説明する。なお、本実施の形態における画像形成システムの通常動作については、前記第１の実施の形態と同様であるので説明を省略する。また、本実施の形態における通信端末装置３０による画像形成装置１００からのＷｅｂページデータ取得動作については、前記第１の実施の形態と同様であるので説明を省略する。
【０１６２】
次に、コンバータ装置１１０から画像形成装置１００へのＷｅｂページ更新データ格納動作について説明する。
【０１６３】
なお、コンバータ装置１１０から画像形成装置１００へのＷｅｂページ更新データ格納動作は、コンバータ装置１１０と画像形成装置１００とが通信を行い、連携して実行されるので、各装置における動作についてそれぞれ説明する。
【０１６４】
図２４は本発明の第２の実施の形態におけるコンバータＷｅｂページデータの例を示す図、図２５は本発明の第２の実施の形態における更新されたＷｅｂページデータの例を示す図、図２６は本発明の第２の実施の形態におけるコンバータ装置の動作を示すフローチャート、図２７は本発明の第２の実施の形態における画像形成装置の動作を示すフローチャートである。
【０１６５】
まず、コンバータ装置１１０の時間計測部１１５が、所定の時間の経過によるタイムアウトを無線信号検出部１１７に通知することによって、動作が開始される。そして、無線信号検出部１１７は、無線ＬＡＮインターフェイス部１１２から無線信号の強度情報を取得し、強度情報が所定の範囲を超えて変化したことを検出すると、制御部１１４に対して変化検出が通知される。
【０１６６】
続いて、無線ＬＡＮインターフェイス部１１２は、制御部１１４からの中継動作の停止指示を受信すると、以後、無線ＬＡＮ５０からのネットワークパケットを受け捨てる。そして、制御部１１４の指示によって、Ｗｅｂ更新データ送信部１２０は、変化検出に対応したＷｅｂページ更新データを生成する。また、Ｗｅｂ更新データ送信部１２０の指示によって、有線ＬＡＮインターフェイス部１１１は、ＴＦＴＰを起動する。
【０１６７】
次に、有線ＬＡＮインターフェイス部１１１は、ＴＦＴＰでの接続要求を有線ＬＡＮ４０に送信する。すると、前記接続要求を受信したネットワークインターフェイス部１０１は、ＴＦＴＰの動作を開始する。そして、ＴＦＴＰの動作が開始されると、ネットワークインターフェイス部１０１は、受信した要求に応じて接続応答を返信し、ＴＦＴＰによる接続を確立する。さらに、有線ＬＡＮインターフェイス部１１１は、接続応答を受信し、ＴＦＴＰによる接続を確立する。
【０１６８】
続いて、画像形成装置１００との間にＴＦＴＰによる接続が成功すると、前記Ｗｅｂ更新データが有線ＬＡＮ４０に送信される。すると、ネットワークインターフェイス部１０１はＴＦＴＰによるＷｅｂ更新データの受信動作を行う。そして、前記Ｗｅｂ更新データは、Ｗｅｂページ更新部１０９において、Ｗｅｂページ記憶部１０３内のコンバータＷｅｂページ９０のどの箇所が対象であるかを検出する。例えば、更新対象検出方式としては、前記Ｗｅｂ更新データ内のＨＴＭＬタグ＜ｔｉｔｌｅ＞を検索し、記述されている文字列と同一の文字列を有するＨＴＭＬタグ＜ｔｉｔｌｅ＞を前記コンバータＷｅｂページ９０内から検索する、といった方式を適用することができる。
【０１６９】
次に、Ｗｅｂページ更新部１０９は、Ｗｅｂ更新データによってコンバータＷｅｂページ９０を更新し、Ｗｅｂページ記憶部１０３に再格納する。前記Ｗｅｂ更新データの送信が終了すると、有線ＬＡＮインターフェイス部１１１はＴＦＴＰによる接続の切断要求を送信する。そして、切断要求を受信したネットワークインターフェイス部１１１は、切断応答を返信し、ＴＦＴＰの接続を切断する。その後、ネットワークインターフェイス部１０１はＴＦＴＰの動作を終了する。
【０１７０】
続いて、切断応答を有線ＬＡＮインターフェイス部１１１が受信すると、送信動作の終了通知がＷｅｂ更新データ送信部１２０と制御部１１４とに通知され、ＴＦＴＰの動作が終了する。そして、制御部１１４は、無線ＬＡＮインターフェイス部１１２に対して運用モードへの復帰を指示する。無線ＬＡＮインターフェイス部１１２は、無線ＬＡＮ５０からのネットワークパケット受信動作を再開する。
【０１７１】
最後に、制御部１１４は、時間計測部１１５に対して、次回のＷｅｂ更新データ送信動作開始のためのタイマをセットする。
【０１７２】
Ｗｅｂ更新データの具体例としては、例えば、図２４に示されるように、コンバータＷｅｂページデータのうち、“Ｓｉｇｎａｌ  Ｓｔａｔｕｓ”欄９１に対する更新データとして“Ｓｉｇｎａｌ  Ｓｔａｔｕｓ”欄更新データ９２が生成されていた場合、図２５に示すように、“Ｓｉｇｎａｌ  Ｓｔａｔｕｓ”欄９１が“Ｓｉｇｎａｌ  Ｓｔａｔｕｓ”欄更新データ９２に更新されたＷｅｂページデータ９３が、Ｗｅｂ更新データとして作成される。
【０１７３】
次に、図２６のフローチャートについて説明する。
ステップＳ６１  タイムアウトが発生する。
ステップＳ６２  電波強度を取得する。
ステップＳ６３  電波強度が所定の範囲を超えたか否かを判断する。電波強度が所定の範囲を超えた場合はステップＳ６４に進み、電波強度が所定の範囲を超えていない場合はステップＳ７２に進む。
ステップＳ６４  中継を停止する。
ステップＳ６５  Ｗｅｂ更新データを生成する。
ステップＳ６６  ＴＦＴＰを起動する。
ステップＳ６７  ＴＦＴＰを接続する。
ステップＳ６８  Ｗｅｂページデータを送信する。
ステップＳ６９  ＴＦＴＰを切断する。
ステップＳ７０  ＴＦＴＰを終了する。
ステップＳ７１  運用モードに復帰する。
ステップＳ７２  タイマをリセットし、処理を終了する。
【０１７４】
次に、図２７のフローチャートについて説明する。
ステップＳ８１  ＴＦＴＰの接続要求を待機し、ＴＦＴＰの接続要求があったか否かを判断する。ＴＦＴＰの接続要求があった場合はステップＳ８２に進み、ＴＦＴＰの接続要求がない場合はそのまま待機する。
ステップＳ８２  ＴＦＴＰの動作を開始する。
ステップＳ８３  ＴＦＴＰを接続する。
ステップＳ８４  Ｗｅｂ更新データを受信する。
ステップＳ８５  Ｗｅｂ更新箇所を検出する。
ステップＳ８６  Ｗｅｂページデータを更新する。
ステップＳ８７  ＴＦＴＰを切断する。
ステップＳ８８  ＴＦＴＰの動作を終了し、処理を終了する。
【０１７５】
このように、本実施の形態においては、コンバータ装置１１０がコンバータＷｅｂページデータに対する更新データだけを画像形成装置１００に送信し、該画像形成装置１００が前記コンバータＷｅｂページデータを更新するようになっている。そのため、コンバータ装置１１０が画像形成装置１００に送信する通信量を前記第１の実施の形態に比較して小さくすることができる。
【０１７６】
したがって、本実施の形態においては、コンバータ装置１１０の無線ＬＡＮインターフェイス１１２が無線ＬＡＮ５０からのネットワークパケットの受信を中断している時間を短くすることができる。すなわち、通信端末装置３０とのネットワーク通信が中止される時間を短くすることができる。
【０１７７】
また、本実施の形態は、前記第１の実施の形態と同様の効果も奏するものである。
【０１７８】
なお、前記第１及び第２の実施の形態においては、画像形成装置が複合型プリンタ（ＭＦＰ）である場合について説明したが、複写機、プリンタ装置、ファクシミリ装置又はスキャナ装置に対して適用することができる。
【０１７９】
また、前記第１及び第２の実施の形態においては、コンバータ装置が有線ＬＡＮと無線ＬＡＮとの通信を中継するコンバータ装置である場合について説明したが、中継するネットワークとして有線ＬＡＮと光ファイバー等、ネットワークの媒体に依存せず複数のネットワークを中継するコンバータ装置に対して適用することができる。
【０１８０】
さらに、前記第１及び第２の実施の形態においては、コンバータ装置から画像形成装置へのコンバータＷｅｂページの送信に使用するネットワークプロトコルとしてＴＦＴＰを用いる場合について説明したが、ＳＮＭＰ、ＨＴＴＰＭＵ（ＨＴＴＰ  ｏｖｅｒ  Ｍｕｌｔｉｃａｓｔ  ＵＤＰ）を用いても実現することができる。
【０１８１】
なお、本発明は前記実施の形態に限定されるものではなく、本発明の趣旨に基づいて種々変形させることが可能であり、それらを本発明の範囲から排除するものではない。
【図面の簡単な説明】
【０１８２】
【図１】本発明の第１の実施の形態における画像形成システムの構成図である。
【図２】本発明の第１の実施の形態における画像形成装置のブロック図である。
【図３】本発明の第１の実施の形態におけるコンバータ装置のブロック図である。
【図４】本発明の第１の実施の形態における通信端末装置のブロック図である。
【図５】本発明の第１の実施の形態における画像形成システムの印刷動作の基本シーケンスを示す図である。
【図６】本発明の第１の実施の形態における画像形成システムのスキャナ動作の基本シーケンスを示す図である。
【図７】本発明の第１の実施の形態における画像形成システムのコンバータ装置の設定動作の基本シーケンスを示す図である。
【図８】本発明の第１の実施の形態におけるコンバータＷｅｂページの表示の例を示す図である。
【図９】本発明の第１の実施の形態におけるコンバータ装置から画像形成装置へのＷｅｂページデータ格納動作のシーケンスを示す図である。
【図１０】本発明の第１の実施の形態におけるコンバータ装置の動作を示すフローチャートである。
【図１１】本発明の第１の実施の形態における画像形成装置の動作を示すフローチャートである。
【図１２】本発明の第１の実施の形態におけるＷｅｂページデータ取得動作のシーケンスを示す図である。
【図１３】本発明の第１の実施の形態における第２Ｗｅｂページデータの表示の例を示す図である。
【図１４】本発明の第１の実施の形態におけるメニューフレームの例を示す図である。
【図１５】本発明の第１の実施の形態におけるハイパーリンクが付加されたメニューフレームの例を示す図である。
【図１６】本発明の第１の実施の形態におけるメニューフレームのＷｅｂページデータの構造を示す図である。
【図１７】本発明の第１の実施の形態におけるメニューフレームの他のＷｅｂページデータの構造を示す図である。
【図１８】本発明の第１の実施の形態における画像形成装置から送信されるＷｅｂページの表示の例を示す図である。
【図１９】本発明の第１の実施の形態における画像形成装置の動作を示すフローチャートである。
【図２０】本発明の第１の実施の形態における通信端末装置の動作を示すフローチャートである。
【図２１】本発明の第２の実施の形態における画像形成システムの構成図である。
【図２２】本発明の第２の実施の形態における画像形成装置のブロック図である。
【図２３】本発明の第２の実施の形態におけるコンバータ装置のブロック図である。
【図２４】本発明の第２の実施の形態におけるコンバータＷｅｂページデータの例を示す図である。
【図２５】本発明の第２の実施の形態における更新されたＷｅｂページデータの例を示す図である。
【図２６】本発明の第２の実施の形態におけるコンバータ装置の動作を示すフローチャートである。
【図２７】本発明の第２の実施の形態における画像形成装置の動作を示すフローチャートである。
【符号の説明】
【０１８３】
１０、１００    画像形成装置
１２、１０２    Ｗｅｂサーバ部
２０、１１０    コンバータ装置
２３、１１３    Ｗｅｂページ送信部
２５、１１５    時間計測部
２７、１１７    無線信号検出部
３０    通信端末装置
４０    有線ＬＡＮ
５０    無線ＬＡＮ
９０    コンバータＷｅｂページ
９３    Ｗｅｂページデータ
１０９    Ｗｅｂページ更新部
１２０    Ｗｅｂ更新データ送信部
【図１】
0004881233.tif 000002
【図２】
0004881233.tif 000003
【図３】
0004881233.tif 000004
【図４】
0004881233.tif 000005
【図５】
0004881233.tif 000006
【図６】
0004881233.tif 000007
【図７】
0004881233.tif 000008
【図８】
0004881233.tif 000009
【図９】
0004881233.tif 000010
【図１０】
0004881233.tif 000011
【図１１】
0004881233.tif 000012
【図１２】
0004881233.tif 000013
【図１３】
0004881233.tif 000014
【図１４】
0004881233.tif 000015
【図１５】
0004881233.tif 000016
【図１６】
0004881233.tif 000017
【図１７】
0004881233.tif 000018
【図１８】
0004881233.tif 000019
【図１９】
0004881233.tif 000020
【図２０】
0004881233.tif 000021
【図２１】
0004881233.tif 000022
【図２２】
0004881233.tif 000023
【図２３】
0004881233.tif 000024
【図２４】
0004881233.tif 000025
【図２５】
0004881233.tif 000026
【図２６】
0004881233.tif 000027
【図２７】
0004881233.tif 000028